(57)【特許請求の範囲】
【請求項１】
アース線を含む複数の配線がそれぞれに接続される各接続端子部を有する端子台と、
前記アース配線が端末に有する端子であって、前記接続端子部に接続されるＹ字又は丸型端子と、
前記複数の配線の中でアース配線以外の配線が端末に有する端子であって、前記接続端子部に接続される棒状端子と、
前記端子台の各接続端子部で前記複数の配線がそれぞれ端末に有する前記端子を挟着して接続するように締め付けられるねじと、
前記端子台に設けられ、前記端子台の各接続端子部を区画する仕切り壁と、
前記仕切り壁にあって前記アース配線以外の配線が接続される接続端子部の配線挿入側を塞ぐとともに、前記棒状端子は差し込めるが、前記アース配線が有するＹ字又は丸型端子は挿入できない配線挿入口を有する配線挿入側壁と、を備え、
前記アース配線以外の配線の接続端子部は、前記配線挿入口から前記棒状端子が差し込まれ、前記ねじが締め付けられて前記棒状端子を接続し、
前記アース配線の接続端子部は、前記ねじが取り外され、このねじに前記Ｙ字又は丸型端子が挿入され、前記ねじが締め付けられて前記Ｙ字又は丸型端子を接続することを特徴とする端子台の接続機構。
【請求項２】
前記端子台の各接続端子部がそれぞれ色分けされ、この色分けに対応して前記端子台の各接続端子部に接続される前記複数の配線もそれぞれ色分けされることを特徴とする請求項１に記載の端子台の接続機構。
【請求項３】
少なくともアース配線と電源配線と信号配線からなる配線の接続に請求項１又は請求項２に記載の端子台の接続機構を用いたことを特徴とする機器。
【発明の詳細な説明】
【０００１】
【発明の所属する技術分野】
この発明は、空気調和機等の機器の端子台に工事配線を接続するための端子台の接続機構に関するものである。
【０００２】
【従来の技術】
【０００３】
従来の端子台の接続機構を用いる空気調和機等の機器の構成を図１に示す。
この図において、１は単相交流機器に交流電源を供給する一次電源、２はこの一次電源のＮ相とグランド（接地）との間に設けられ、漏洩電流を小さくする接地抵抗器、３はグランド（接地箇所）、４は一次電源１と差込コンセント５とを接続する電源配線、５は電源側の差込コンセント、６はこの差込コンセント５に差し込まれる空気調和機等の電源プラグ、７はこの電源プラグ６の電源コードである。
【０００４】
また、８は空気調和機の室内機、９はこの室内機８の電源／信号端子台、１０はこの端子台９に接続され、室内機を制御する室内機制御基板、１１ａはこの室内機端子台９と室外機端子台１３とを接続する配線、１２は空気調和機の室外機、１３はこの室外機１２の電源／信号端子台、１４はこの端子台１３に接続され、室外機１２を制御する室外機制御基板、１５は端子台１３のアース端子Ｅとグランド（接地）３との間を結ぶ配線に設けられた絶縁抵抗である。
【０００５】
なお、一般的に、前述の室内機８の端子台９と室外機１２の端子台１３とを接続する配線１１ａの工事は外部工事業者が行う工事となっており、しかも、この工事に使用される室内外端子台間を接続する電源／信号配線１１ａは、図７に示すように、例えば、電源配線１６と、信号配線１７と、中性線１８と、アース配線１９ａの４本からなり、これらの各配線の被覆は、例えば、赤、白、黒、緑黄という具合に色分けされ、それらの配線端末２０は全て棒状の形状となっている。
【０００６】
また、前述の室内端子台９、室外端子台１３の構造について詳細に説明すると、これらの端子台９、１３は、図６に示すように、電源／信号配線の配線数に応じて、２１の電源線接続端子、２２の信号線接続端子、２３の中性線接続端子、２４のアース線接続端子を有し、しかも、これらの端子２１から２４に対応して、室内外の制御基板１０，１４と接続される２１ａの電源線接続端子と，２２ａの信号線接続端子と，２３ａの中性線接続端子と，２４ａのアース線接続端子部が、仕切り板Ａ２５を介してそれぞれ設けられており、かつ、これらの互いに隣接する各端子間を区画するたの仕切り板Ｂ２６が設けられている。
【０００７】
また、これらの仕切り板Ａの上面には「３、２、Ｎ、Ｅ」の各名称が電源／信号配線の各被覆の色と同様の赤、白、黒、緑黄で表示され、この表示色と同じ色で仕切り板Ｂ間の端子台前面の配線差込口２７に表示し、これらの配線差込口２７に各配線１１ａの棒状端末２０を差し込んだ後、端子圧着版と連結されたねじ３０を締め付けて、各配線１１ａの棒状端末２０を端子圧着版と座金の間に挟着する構造となっている。
【０００８】
なお、この時の各配線端末２０は、図７に示すように、同一寸法、同一形状であり、また、これらの配線端末２０を固着する端子台側の各接続端子側も同一寸法、同一形状となっているので、配線工事の際、各配線の端末２０をどの端子に接続するかのを端子台の「３、２、Ｎ、Ｅ」の端子名称と色を識別し、この識別結果に対応した色のリード線を選別して、外部業者が配線することになる。
【０００９】
【発明が解決しようとする課題】
従来の端子台の接続機構は、以上説明したように構成されているので、周囲の色と光の関係から配線の色が変わったり、或いは配線に違った色のものが付着して変化したりすると、誤った配線をしてしまうため、機器の動作不良や回路の不具合を招く、特に、アース線を誤配線すると、アース機能を損うため、種々の問題を引き起こす恐れがあった。
【００１０】
この発明は、上記のような問題を解決するためになされたもので、各配線を確実に端子台の各端子へ接続できるように、特に、アース配線を端子台のアース端子に確実に接続できるように構成された端子台の接続機構及びそれを用い機器を得ることを目的とする。
【００１１】
【課題を解決するための手段】
この発明に係る端子台の接続機構は、アース線を含む複数の配線がそれぞれに接続される各接続端子部を有する端子台と、アース配線が端末に有する端子であって、接続端子部に接続されるＹ字又は丸型端子と、複数の配線の中でアース配線以外の配線が端末に有する端子であって、接続端子部に接続される棒状端子と、端子台の各接続端子部で複数の配線がそれぞれ端末に有する端子を挟着して接続するように締め付けられるねじと、端子台に設けられ、端子台の各接続端子部を区画する仕切り壁と、仕切り壁にあってアース配線以外の配線が接続される接続端子部の配線挿入側を塞ぐとともに、棒状端子は差し込めるが、アース配線が有するＹ字又は丸型端子は挿入できない配線挿入口を有する配線挿入側壁と、を備え、アース配線以外の配線の接続端子部は、配線挿入口から棒状端子が差し込まれ、ねじが締め付けられて棒状端子を接続し、アース配線の接続端子部は、ねじが取り外され、このねじにＹ字又は丸型端子が挿入され、ねじが締め付けられてＹ字又は丸型端子を接続するものである。
【００１２】
また、端子台の各接続端子部がそれぞれ色分けされ、この色分けに対応して前記端子台の各接続端子部に接続される前記複数の配線もそれぞれ色分けされるものである。
【００１３】
また、この発明に係る端子台の接続機構を用いた機器は、少なくともアース配線と電源配線と信号配線からなる配線の接続に上記した端子台の接続機構を用いたものである。
【００１５】
【発明の実施の形態】
実施の形態１．
この実施の形態１の端子台の接続機構について図１から３を用いて説明する。まず、この端子装置を用いる機器の構成は図１に示したような構成であり、この構成・動作は従来技術とほぼ同じであり、ここでの説明は割愛する。
【００１６】
また、ここで用いる端子装置（台）は、図２に示すように、外部配線業者が配線を接続する端子２１から２４が設けられ、これらの端子に対応して、室内外の制御基板１０，１４が接続される内部配線側端子としての２１ａの電源線接続端子と，２２ａの信号線接続端子と，２３ａの中性線接続端子と，２４ａのアース線接続端子が仕切り板Ａ２５を介して室内端子台９と室外端子台１３のそれぞれに設けられ、かつ、これの端子台９、１３の各接続端子間の側面を区画する仕切り板Ｂ（仕切壁面）２６が設けられている。
【００１７】
また、これらの端子台９、１３に接続される配線１１ｂは、例えば、電源配線１６と、信号配線１７と、中性線１８と、アース配線１９の４本からなり、これらの配線１１ｂは、図４又は５に示すように、その端末２０をアース配線１９以外は棒状の形状にしているものの、アース配線１９の端末はＹ字又は丸型端子が取付けられ、Ｙ字又は丸型の形状となっており、しかも、これらの配線の色は端子台の各端子の色と対応するようになっている。
【００１８】
次に、このように構成された端子台と配線の接続工事について説明する。
まず、電源配線１６、信号配線１７、及び中性線１８の棒状端末２０が各端子台９，１３の同じ色の配線挿入口２９に挿入された後、端子圧着版３１と連結されたねじ３０が締め付けられて、端子圧着版と座金の間に挟着される。
また、この時、Ｙ字又は丸型端子を端末に有するアース配線１９は、その端末が配線挿入口２９に入らないため、配線挿入口２９を持たない端子台の端子２４に、端子圧着版３１と連結されたねじ３０を外し、このねじ３０にＹ字又は丸型端子の端末が挿入された後、端子圧着版３１と連結されたねじ３０が締め付けられて、端子圧着版と座金の間に挟着される。
【００１９】
以上説明したように、各配線と端子台の各接続端子とが対応するように色を付けて配線接続を誤らないようにすると共に、特に、アース配線の端末のみにＹ字又は丸型端子を設けて、端子台の端子圧着版とねじを取り外さ無ければ、アース配線を端子台に取付けることができないように、言い換えれば、アース配線を端子台の他の端子に取り付かないようにしたので、配線工事が正確・確実に行え、特に、アース配線が正確・確実に取り付けられる端子台の接続機構が得られる。
【００２０】
また、この時更に、図３に示すように、電源配線１６、信号配線１７、及び中性線１８が接続される各端子台９，１３の電源接続端子２１、信号接続端子２２、及び中性線接続端子２３の配線挿入側に棒状端子２０のみが差し込める程度の配線挿入口２９を有する仕切り板Ｃ２８を端子台９，１３の配線挿入側の壁面に設け、各接続端子の仕切り板Ｂ間の配線挿入面を塞ぎ、各配線の接続を配線挿入口２９を介さなければ接続できないような構造にすると、各配線を端子台の各接続端子に接続する時、特に、アース配線１９を端子台のアース接続端子以外の接続端子に接続しようとして、アース接続端子以外の各接続端子から端子圧着版３１とねじ３０を取外しても、アース配線１９の端末には配線挿入口２９から挿入できないＹ字又は丸型端子等が取り付けられているので、アース配線１９を配線挿入口２９から挿入できずに取り付けられないため、図２の端子台構造に比べ、アース配線を更に確実に取り付けることができる端子台の接続機構が得られる。
【００２１】
【発明の効果】
この発明に係る端子台の接続機構は、アース線を含む複数の配線がそれぞれに接続される各接続端子部を有する端子台と、アース配線が端末に有する端子であって、接続端子部に接続されるＹ字又は丸型端子と、複数の配線の中でアース配線以外の配線が端末に有する端子であって、接続端子部に接続される棒状端子と、端子台の各接続端子部で複数の配線がそれぞれ端末に有する端子を挟着して接続するように締め付けられるねじと、端子台に設けられ、端子台の各接続端子部を区画する仕切り壁と、仕切り壁にあってアース配線以外の配線が接続される接続端子部の配線挿入側を塞ぐとともに、棒状端子は差し込めるが、アース配線が有するＹ字又は丸型端子は挿入できない配線挿入口を有する配線挿入側壁と、を備え、アース配線以外の配線の接続端子部は、配線挿入口から棒状端子が差し込まれ、ねじが締め付けられて棒状端子を接続し、アース配線の接続端子部は、ねじが取り外され、このねじにＹ字又は丸型端子が挿入され、ねじが締め付けられてＹ字又は丸型端子を接続するので、アース配線が正確・確実に端子台のアース配線の接続端子部に接続されるようになってアース配線の接続を誤ることがなく、配線工事が正確・確実に行える信頼性の高い端子台の接続機構が得られる。
【００２２】
また、端子台の各接続端子部がそれぞれ色分けされ、この色分けに対応して前記端子台の各接続端子部に接続される前記複数の配線もそれぞれ色分けされるので、識別が明確になって、配線工事が正確・確実に行える信頼性の高い端子台の接続機構が得られる。
【００２３】
また、この発明に係る端子台の接続機構を用いた機器は、少なくともアース配線と電源配線と信号配線からなる配線の接続に上記した端子台の接続機構を用いたので、アース配線の接続を誤ることがなく、配線工事が正確・確実に行える信頼性の高い機器が得られる。
【図面の簡単な説明】
【図１】  この発明及び従来の各機器端子台間を接続する配線の概略配線図である。
【図２】  この発明の実施の形態１における端子台の概略構成図である。
【図３】  この発明の実施の形態１における他の端子台の概略構成図である。
【図４】  この発明の実施の形態１における端子台に対応した配線の概略構成図である。
【図５】  この発明の実施の形態１における端子台に対応した他の配線の概略構成図である。
【図６】  従来の端子台の概略構成図である。
【図７】  従来の端子台に対応した配線の概略構成図である。
【符号の説明】
１  交流一次電源、  ２  一次電源の接地抵抗、  ３  グランド、  ４  一次側電源配線、  ５  電源コンセント、  ６  機器の電源プラグ、  ７  機器の電源コード、  ８  室内機器、  ９  室内機器の端子台、  １０  室内機器の制御基板、  １１  室内機器と室外機器との端子台を結ぶ配線、  １２  室外機器、１３  室外機器の端子台、  １４  室外機器の制御基板、  １５  室外機器のアース絶縁抵抗、  １６  電源配線、  １７  信号配線、  １８  中性線、  １９  アース線、  ２０  配線棒状端末、  ２１  信号線接続端子、  ２２  中性線接続端子、  ２３  電源線接続端子，  ２４  アース線接続端子部、  ２５  仕切り板Ａ、  ２６  仕切り板Ｂ、  ２７  配線差込口、  ２８  仕切り板Ｃ、２９  配線挿入口、  ３０  ねじ、  ３１  圧着端子版。
【図１】
0004026412.tif 000002
【図２】
0004026412.tif 000003
【図３】
0004026412.tif 000004
【図４】
0004026412.tif 000005
【図５】
0004026412.tif 000006
【図６】
0004026412.tif 000007
【図７】
0004026412.tif 000008